(57)【要約】【課題】  使用状態においてユーザの膝に脚体が当たることを防止し、簡単に折り畳むことができる楽器用スタンドを提供する。【解決手段】  図１(a)において、電子楽器１００を支持する楽器用スタンドは、正面視が略逆「Ｌ」字状の左右一対の脚体２０Ｌ，２０Ｒと、両者の間隔を保つ間隔保持部材１０とから構成される。脚体２０Ｌ，２０Ｒは、ボルト３３Ｌ，３３Ｒを中心として回動自在になるように間隔保持部材１０に軸支されている。ここで、脚体２０Ｌ，２０Ｒの曲げ角θ1は約「８０°」である。脚体２０Ｌ，２０Ｒは、曲げ角θ1に等しい傾斜角θ2だけ内側に傾斜しつつ、所定の間隔Ｌ1を隔てて床面１２０上に載置される。電子楽器１００およびスタンドを運搬または収納状態する場合には、図１(b)に示すように、脚体２０Ｌ，２０Ｒを各々内側に約「９０°」回動させ、さらに間隔保持部材１０の上に電子楽器１００を載置する。【選択図】  図１
2007219187.tif 000002
【特許請求の範囲】
【請求項１】
被支持体を所定の高さに支持するように床面上に載置される一対の脚体と、該一対の脚体間の間隔を保つための長尺状の間隔保持部材とを有するスタンドであって、
前記脚体は、前記被支持体を前記所定の高さに保持する支持部と該支持部の上部から内側方向に連結され前記被支持体を載置する被支持体載置部とから成り、
前記被支持体載置部を前記所定の高さに載置できる状態である使用状態においては、前記間隔保持部材の長手方向の両端部において前記被支持体載置部を上にして前記被支持体載置部と前記間隔保持部材とが重なるように、該間隔保持部材および前記被支持体載置部が配設され、
前記スタンドを折り畳んだ折畳み状態においては、前記間隔保持部材を上にして前記間隔保持部材と前記支持部とが重なるように、該間隔保持部材および前記支持部が配設される
ことを有することを特徴とするスタンド。
【請求項２】
前記使用状態において、前記間隔保持部材と前記被支持体載置部とを結合する結合手段をさらに有することを特徴とする請求項１記載のスタンド。
【発明の詳細な説明】
【技術分野】
【０００１】
本発明は、電子楽器等を支持するために用いて好適なスタンドに関する。
【背景技術】
【０００２】
電子楽器等を支持するためのスタンドには、種々のものが知られている。特許文献１には、一対の長方形状の側板を、複数の長尺長方形状のステー部材によって結合した、比較的頑丈な構造のスタンドが開示されている。これらの側板の内側面には、前後方向に沿って延設されたレール状のガイド部材が装着される。また、このスタンドによって支持される楽器本体の下面には、このガイド部材によってガイドされる被ガイド部材が装着される。そして、これらガイド部材および被ガイド部材によって楽器本体をスタンド上にセットし、ガイド部材および被ガイド部材をボルトによって固着すると、楽器本体がスタンド上に固定されることになる。
また、特許文献２には、側面視が略「ロ」字状の一対の脚体を、正面視が略「Ｘ」字状になるように交差させ、その交差点において両脚体が相互に回動自在になるように軸支し、さらに両脚体の上端部を固定する長方形板状の天板部を設けたスタンドが開示されている。
【０００３】
【特許文献１】特開平５−２９７８６５号公報
【特許文献２】特開２００３−５０５７８号公報
【発明の開示】
【発明が解決しようとする課題】
【０００４】
しかし、特許文献１に開示されたスタンドは、一旦組み立てた後は組み立てた状態で恒常的に使用することを想定したものであり、運搬時に折り畳むことは不可能である。そして、「分解」および「組み立て」には相当の手間を有するものである。さらに、組み立てたスタンドに楽器本体を装着する作業も面倒なものであり、例えば、ガイド部材および被ガイド部材をボルトによって固着する場合には、楽器本体の下に手を差し込み、所定の位置に下方向からボルトを差し込むような作業が必要であった。
一方、特許文献２に開示されたスタンドは、天板部を脚体から取り外し、両脚体の「Ｘ」字状の交差角度を狭めることにより簡単に折りたたむことができる。しかし、このスタンドは、楽器の演奏状態において両脚体がユーザの膝に当たるため、使用しづらいという欠点があった。
この発明は上述した事情に鑑みてなされたものであり、使用しやすく、しかも簡単に折りたたむことができるスタンドを提供することを目的としている。
【課題を解決するための手段】
【０００５】
上記課題を解決するため本発明にあっては、下記構成を具備することを特徴とする。なお、括弧内は例示である。
請求項１記載のスタンドにあっては、被支持体（１００）を所定の高さ（ｈ1）に支持するように床面（１２０）上に載置される一対の脚体（２０Ｌ，２０Ｒ）と、該一対の脚体（２０Ｌ，２０Ｒ）間の間隔を保つための長尺状の間隔保持部材（１０）とを有するスタンドであって、前記脚体（２０Ｌ，２０Ｒ）は、前記被支持体（１００）を前記所定の高さ（ｈ1）に保持する支持部（２１Ｒ〜２３Ｒ）と該支持部（２１Ｒ〜２３Ｒ）の上部から内側方向に連結され前記被支持体（１００）を載置する被支持体載置部（２４Ｒ〜２９Ｒ）とから成り、前記被支持体載置部（２４Ｒ〜２９Ｒ）を前記所定の高さ（ｈ1）に載置できる状態である使用状態においては、前記間隔保持部材（１０）の長手方向の両端部において前記被支持体載置部（２４Ｒ〜２９Ｒ）を上にして前記被支持体載置部（２４Ｒ〜２９Ｒ）と前記間隔保持部材（１０）とが重なるように、該間隔保持部材（１０）および前記被支持体載置部（２４Ｒ〜２９Ｒ）が配設され、前記スタンドを折り畳んだ折畳み状態においては、前記間隔保持部材（１０）を上にして前記間隔保持部材（１０）と前記支持部（２１Ｒ〜２３Ｒ）とが重なるように、該間隔保持部材（１０）および前記支持部（２１Ｒ〜２３Ｒ）が配設されることを有することを特徴とする。
さらに、請求項２記載の構成にあっては、請求項１記載のスタンドにおいて、前記使用状態において、前記間隔保持部材（１０）と前記被支持体載置部（２４Ｒ〜２９Ｒ）とを結合する結合手段（５０〜５３，６２）をさらに有することを特徴とする。
【発明の効果】
【０００６】
このように、本発明によれば、使用状態においては間隔保持部材の両端部において被支持体載置部を上にして被支持体載置部と間隔保持部材とが重なるように、間隔保持部材および被支持体載置部を配設し、折畳み状態においては間隔保持部材を上にして間隔保持部材と支持部とが重なるように、間隔保持部材および支持部を配設したから、折畳みおよび組立てがきわめて簡単でありながら、使いやすく、高い安定性を確保することができる。
さらに、使用状態において、間隔保持部材と被支持体載置部とを結合する結合手段を設けた構成によれば、被支持体を載置しない状態であっても高い安定性を確保することができる。
【発明を実施するための最良の形態】
【０００７】
1．第１実施例
次に、本発明の第１実施例の楽器用スタンドの概略構成を図１(a)，(b)を参照し説明する。図１(a)において１００は電子楽器であり、本実施例の楽器用スタンドによって、所定の高さｈ1に支持される被支持体になる。楽器用スタンドは、正面視が略逆「Ｌ」字状の左右一対の脚体２０Ｌ，２０Ｒと、両者の間隔を保つ間隔保持部材１０とから構成される。脚体２０Ｌ，２０Ｒは、ボルト３３Ｌ，３３Ｒを中心として回動自在になるように間隔保持部材１０に軸支されている。ここで、脚体２０Ｌ，２０Ｒの曲げ角θ1は約「８０°」であり、脚体２０Ｌ，２０Ｒは、曲げ角θ1に等しい傾斜角θ2だけ内側に傾斜しつつ、所定の間隔Ｌ1を隔てて床面１２０上に載置される。そして、間隔保持部材１０は、脚体２０Ｌ，２０Ｒと協働して、これら脚体の傾斜角θ2を保持する角度保持部材としても機能する。２７Ｌ，２７Ｒは係止部材であり、電子楽器１００がスタンド上で動かないように、その前方左下隅部分および前方右下隅部分を保持する。
【０００８】
ここで、電子楽器１００およびスタンドを運搬または収納状態する場合には、電子楽器１００を上に持ち上げてスタンドから一旦取り外し、脚体２０Ｌ，２０Ｒを各々内側に約「９０°」回動させ、さらに間隔保持部材１０の上に電子楽器１００を載置するとよい。この状態における正面図を図１(b)に示す。図１(b)において１９Ｌ，１９Ｒは収納用支持脚であり、間隔保持部材１０から下方向に突出している。スタンドを床面１２０に載置すると、スタンドはこれら収納用支持脚１９Ｌ，１９Ｒによって床面１２０上に安定して載置されることになる。４０Ｌ，４０Ｒはスペーサであり、運搬・収納状態において電子楽器１００と脚体２０Ｌ，２０Ｒとの間に挿入される。これらスペーサ４０Ｌ，４０Ｒはショックアブソーバも兼ねており、運搬時の衝撃から電子楽器１００を保護する。
【０００９】
次に、本実施例の楽器用スタンドの詳細構成を図２を参照し説明する。なお、図２は使用状態における楽器用スタンドの中心線ＣＬから右側の部分のみを示すが、左側は中心線ＣＬを軸として右側と対称に構成されている。１２は間隔保持部材１０の一部を成す主幹部であり、電子楽器１００の幅にほぼ等しい長さの金属パイプによって構成されている。１４Ｒは右端保持部であり、主幹部１２と同径の金属パイプによって構成され、その中心部において主幹部１２に垂直に溶接されている。右端保持部１４Ｒは、その両端部が垂直方向に潰されるとともに外側に向かって水平に折り曲げられ、これによって略長方形板状の回動支持部１６Ｒ，１７Ｒが形成されている。この回動支持部１６Ｒ，１７Ｒよりやや内側においては、右端保持部１４Ｒよりもやや小径の金属パイプによって形成された収納用支持脚１８Ｒ，１９Ｒが、右端保持部１４Ｒから下方向に向かって突出するように溶接されている。
【００１０】
また、脚体２０Ｒにおいては、主幹部１２と同径の金属パイプが折り曲げられ、２２Ｒ，２３Ｒ，２４Ｒ，２５Ｒ，２８Ｒの各部が形成されている。このうち２８Ｒは右端載置部であり、右端保持部１４Ｒと平行になるように主幹部１２上に載置される。２４Ｒは右端載置後方部、２５Ｒは右端載置前方部であり、各々右端載置部２８Ｒから外側に向かって該金属パイプを「９０°」だけ水平に折り曲げて形成されている。２２Ｒは右後方脚部、２３Ｒは右前方脚部であり、曲げ角θ1（＝約８０°、図１(a)参照）だけ右端載置後方部２４Ｒおよび右端載置前方部２５Ｒから下方向に該金属パイプを折り曲げて形成されている。脚部２２Ｒ，２３Ｒは、これらの下部において長方形板状の補強板２１Ｒに溶接され、脚部２２Ｒ，２３Ｒの間隔が保持される。また、ボルト３２Ｒ，３３Ｒは、脚部２２Ｒ，２３Ｒの上部（上端よりやや下の位置）および回動支持部１６Ｒ，１７Ｒの端部を各々挿通している。これにより、ボルト３２Ｒ，３３Ｒを中心軸として、脚体２０Ｒは間隔保持部材１０に対して回動自在になっている。
【００１１】
ここで、右端載置部２８Ｒの中央部分上部には軟質樹脂または硬質ゴム等から成るクッション部２９Ｒが固着されており、右端載置後方部２４Ｒおよび右端載置前方部２５Ｒの右端部分上部には樹脂製の係止部材２６Ｒ，２７Ｒが固定されている。そこで、これらの詳細構成を図３を参照し説明する。まず、係止部材２６Ｒは、厚さＤ1の略正方形状の底板２６Ｒ−１と、底板２６Ｒ−１の右端部から上方向に突出した同形状の右板２６Ｒ−２と、底板２６Ｒ−１の後端部から上方向に突出した同形状の後板２６Ｒ−３とから構成されている。また、図２に示すように、係止部材２７Ｒも係止部材２６Ｒと同形状に形成され右端載置前方部２５Ｒに固定されている。図３に戻り、クッション部２９Ｒは単なる湾曲した板状の部材であるが、その厚さＤ2は、係止部材２６Ｒ，２７Ｒの底板の厚さＤ1に等しい。これにより、楽器用スタンドに電子楽器１００を載置すると、電子楽器１００の重量が係止部材２６Ｒ，２７Ｒおよびクッション部２９Ｒに分散して印加されることになる。このように、上述した構成要素２１Ｒ〜２３Ｒは、電子楽器１００を所定の高さｈ1に保持する「支持部」を構成し、構成要素２４Ｒ〜２９Ｒは、電子楽器１００を載置する「被支持体載置部」を構成する。
【００１２】
上記構成において、図１(a)に示すように楽器用スタンドを組み立てて楽器用スタンドの上に電子楽器１００を載置すると、電子楽器１００の重量によって脚体２０Ｌ，２０Ｒが上方向から押圧される状態になる。ここで、スタンドに右方向からの力が加わると、脚体２０Ｌに対して反時計方向に回転させようとする力が加えられることになる。しかし、脚体２０Ｌが実際に反時計方向に回転するには、脚体２０Ｌが電子楽器１００の左端を持ち上げつつ回転する必要があるから、実際にスタンドが倒れるようにするには相当に強い力が加えられなければならない。換言すれば、本実施例の楽器用スタンドは、特に電子楽器１００を載置した場合にきわめて高い安定性を得ることができる。そして、楽器用スタンドを折り畳むためには、単に電子楽器１００を持ち上げて脚体２０Ｌ，２０Ｒを回動させればよいから、折畳みおよび組立てがきわめて簡単である。さらに、使用状態においては、間隔保持部材１０の下方は完全に空いているため、電子楽器１００を演奏するユーザの膝に当たる部材も無い。このため、本実施例の楽器用スタンドは、演奏時においてもきわめて使いやすいものである。
【００１３】
2．第２実施例
次に、本発明の第２実施例の楽器用スタンドについて説明する。第２実施例の楽器用スタンドの構成は第１実施例のものと同様であるが、使用状態において主幹部１２と右端載置部２８Ｒとを結合する部材が設けられている。その詳細を図４を参照し説明する。なお、図４は主幹部１２と右端載置部２８Ｒとの交差部分を斜め下から見た場合の斜視図である。本実施例においては、金属製のバンド５０，５１が右端載置部２８Ｒに挿通され、各々数箇所において右端載置部２８Ｒにスポット溶接され、右端載置部２８Ｒに固着されている。そして、これらバンド５０，５１の対向面から下方に向かって、湾曲した挟持部５２，５３が突出している。これにより、使用状態においては、主幹部１２は挟持部５２，５３に挟持され、右端載置部２８Ｒに結合される。なお、脚体２０Ｌにも右端載置部２８Ｒと同様の左端載置部が設けられており、ここにも同様のバンド５０，５１および挟持部５２，５３が設けられている。
【００１４】
ここで、図４におけるＢ−Ｂ’断面を図５に示す。バンド５０からは挟持部５２を装着するための爪部５０ａが内側斜め下方に向かって突出しており、挟持部５２は、この爪部５０ａに対して硬質ゴムをアウトサート成型することによって形成されている。挟持部５２の内部には空洞部５２ａ，５２ｂが形成され、これによって挟持部５２に力を加えたときに挟持部５２が撓みやすくなっている。ここで、電子楽器１００をスタンドに載置したときの安定性を確保するために、図示のように、バンド５０の厚さＤ3は、クッション部２９Ｒの厚さＤ2以下にすることが望ましい。以上、バンド５０および挟持部５２の詳細構成について説明したが、バンド５１および挟持部５３もこれらと同様に構成されている。
【００１５】
上述したように、図１(a)の使用状態において、第１実施例の楽器用スタンドは電子楽器１００の重量によって脚体２０Ｌ，２０Ｒの回動を防止して安定性を確保していたが、本実施例においては、挟持部５２，５３によって主幹部１２が挟持されるから、スタンドを横方向から押し倒そうとすると、電子楽器１００を持ち上げる力に加えて挟持部５２，５３から主幹部１２を引き抜く力も必要になる。これにより、本実施例の楽器用スタンドは、第１実施例のものと比較して、使用状態において一層高い安定性を確保することができる。さらに、挟持部５２，５３は電子楽器１００が載置されているか否かにかかわらず主幹部１２を挟持するから、本実施例は、特にスタンド上に電子楽器１００を載置していない状態においても高い安定性を確保することができる。
【００１６】
3．第３実施例
次に、本発明の第３実施例の楽器用スタンドについて説明する。第３実施例の楽器用スタンドの構成は第１実施例のものと同様であるが、使用状態において主幹部１２と右端載置部２８Ｒとの交差部分は図６に示すように構成されている。図６において、第１実施例のクッション部２９Ｒは２枚の板部材６０Ｒ，６１Ｒに分割され、両者の間には上方向からネジ６２が挿通している。すなわち、右端載置部２８Ｒにはネジ６２が遊挿される貫通孔が上下方向に沿って形成されている。そして、主幹部１２の上面には、雌ネジが螺刻されており、ネジ６２はこの雌ネジに螺合されている。本実施例によれば、ネジ６２によって主幹部１２と右端載置部２８Ｒとが完全に固定されるため、第２実施例と比較しても一層高い安定性を確保することができる。なお、本実施例においては、組立て時および折畳み時にネジ６２をドライバーなどで回す手間が必要であるが、ネジ６２は上方向から右端載置部２８Ｒに挿通するため、かかる操作はきわめて簡単である。
【００１７】
4．変形例
本発明は上述した実施例に限定されるものではなく、例えば以下のように種々の変形が可能である。
(1)上記各実施例においては、間隔保持部材１０の主幹部１２は１本の金属パイプによって構成されたが、直径が異なる２本の金属パイプを嵌め合わせ、伸縮自在の主幹部を構成してもよい。その一例を図７に示す。図７において６５は主幹部であり、上記各実施例の主幹部１２に代えて用いられる。主幹部６５は、２本の金属パイプ６６，６７によって構成されており、金属パイプ６６の内径は金属パイプ６７の外径にほぼ等しくなっており、金属パイプ６６の内部に金属パイプ６７が挿通されている。金属パイプ６７には、複数箇所において雌ネジ６７ａ〜６７ｄが螺刻されている。これらの雌ネジは、電子楽器１００として楽器用スタンド上に載置し得る様々な機種の電子楽器の横幅に応じて形成されたものである。金属パイプ６６には、ネジ６８が遊挿される貫通孔６６ａが形成されている。そして、図示のようにネジ６８を貫通孔６６ａに挿通し、雌ネジ６７ａ〜６７ｄのうち載置する電子楽器に応じたものに螺合すると、楽器用スタンドの横幅は当該電子楽器に対して最適な寸法になる。
【００１８】
(2)また、上記各実施例においては、回動支持部１６Ｒ，１７Ｒは右端保持部１４Ｒから水平に右方向に突出していた（図２参照）。しかし、回動支持部１６Ｒ，１７Ｒを右斜め上方向に突出させるようにしてもよい。その一例を図８に示す。図８において回動支持部１７Ｒは右端保持部１４Ｒから右斜め上「４５°」方向に突出している。また、ボルト３３Ｒは、右前方脚部２３Ｒの上端部、換言すれば右端載置前方部２５Ｒと右前方脚部２３Ｒとを形成する金属パイプの曲げ部分に挿通され、さらに回動支持部１７Ｒに挿通されている。なお、後方の回動支持部１６Ｒおよびスタンドの左側部分も同様に構成されている。かかる構成によれば、運搬・収納状態になるように脚体２０Ｒを回動したとき、上記各実施例と比較すると、右端載置前方部２５Ｒの移動量が小さくなる。これにより、運搬・収納状態における楽器用スタンドの寸法を小さくすることができ、スペーサ４０Ｌ，４０Ｒも不要にすることができる。
【００１９】
(3)また、上記各実施例において、脚体２０Ｌ，２０Ｒの曲げ角θ1は「９０°」以下の値であればよい。曲げ角θ1が丁度「９０°」であっても、電子楽器１００の重量あるいは図４〜図６に示した結合手段により、各実施例の楽器用スタンドは電子楽器１００を安定して支持することができる。
【００２０】
(4)また、上記各実施例においては、運搬・収納状態において図１(b)に示すように楽器用スタンド上に電子楽器１００を載置することを想定しているため、収納用支持脚１８Ｒ，１９Ｒ，１９Ｌ等を設けていたが、運搬・収納状態において楽器用スタンド上に電子楽器１００を載置しないのであれば、特にこれら収納用支持脚は無くてもよい。
【００２１】
(5)また、第２，第３実施例の使用状態において右端載置部２８Ｒと主幹部１２とを結合する結合手段は、図４〜図６に示したものに限られるわけではない。例えば、パッチン手段などを用いて右端載置部２８Ｒと主幹部１２とを結合してもよい。
【００２２】
(6)また、上記各実施例における補強板２１Ｒに代えて、図９(a)に示す補強版２００Ｒを用いてもよい。補強版２００Ｒは、長方形板状の金属板の両端部分を内側に向かって折り曲げ、全体として平面視が略「コ」字状になるように形成されている。また、折り曲げられた両端部２０１Ｒ，２０２Ｒは、脚部２２Ｒ，２３Ｒの内側の側面に溶接されている。図９(a)におけるＣ−Ｃ’断面を図９(b)に示す。この図において、右前方脚部２３Ｒと、補強版２００Ｒとは、平面Ｌ2に沿って揃うように、端部２０２Ｒは右前方脚部２３Ｒに溶接されている。次に、本変形例における運搬・収納状態における正面図を図９(c)に示す。上述した実施例における正面図（図１(b)）と比較すると、両者における脚体２０Ｌ，２０Ｒの曲げ角θ1は同一であるが、図９(c)の本変形例では本変形例では補強版２００Ｌ，２００Ｒと間隔保持部材１０との間の隙間が広くなっていることが解る。このことは、換言すれば、本変形例では曲げ角θ1をより「９０°」に近い値にすることができ、運搬・収納状態においてスタンドをよりコンパクトにすることができるという利点がある。
【図面の簡単な説明】
【００２３】
【図１】本発明の第１実施例の楽器用スタンドの使用状態および運搬・収納状態における正面図である。
【図２】第１実施例の楽器用スタンドの要部の斜視図である。
【図３】図２におけるＡ−Ａ’断面図である。
【図４】本発明の第２実施例の楽器用スタンドの要部の斜視図である。
【図５】図４におけるＢ−Ｂ’断面図である。
【図６】本発明の第３実施例の楽器用スタンドの要部の斜視図である。
【図７】上記各実施例の変形例における主幹部６５の断面図である。
【図８】上記各実施例の他の変形例における要部の正面図である。
【図９】上記各実施例の他の変形例における要部の斜視図等である。
【符号の説明】
【００２４】
１０：間隔保持部材、１２：主幹部、１４Ｒ：右端保持部、１６Ｒ，１７Ｒ：回動支持部、１８Ｒ，１９Ｌ，１９Ｒ：収納用支持脚、２０Ｌ，２０Ｒ：脚体、２１Ｒ：補強板、２２Ｒ：右後方脚部、２３Ｒ：右前方脚部、２４Ｒ：右端載置後方部、２５Ｒ：右端載置前方部、２６Ｒ，２７Ｒ：係止部材、２６Ｒ−１：底板、２６Ｒ−２：右板、２６Ｒ−３：後板、２７Ｌ，２７Ｒ：係止部材、２８Ｒ：右端載置部、２９Ｒ：板部材、３２Ｒ，３３Ｌ，３３Ｒ：ボルト、４０Ｌ，４０Ｒ：スペーサ、５０，５１：バンド、５０ａ：爪部、５２，５３：挟持部、５２ａ，５２ｂ：空洞部、６０Ｒ，６１Ｒ：板部材、６２，６８：ネジ、６５：主幹部、６６，６７：金属パイプ、６６ａ：貫通孔、６７ａ〜６７ｄ：雌ネジ、１００：電子楽器（被支持体）、１２０：床面。
【図１】
2007219187.tif 000003
【図２】
2007219187.tif 000004
【図３】
2007219187.tif 000005
【図４】
2007219187.tif 000006
【図５】
2007219187.tif 000007
【図６】
2007219187.tif 000008
【図７】
2007219187.tif 000009
【図８】
2007219187.tif 000010
【図９】
2007219187.tif 000011